(57)【要約】【課題】在庫コストを抑えた、丈夫で変形し難く、外壁板の取り付け施工の作業が容易で、外壁板を長期間安定した姿勢で確実に取り付けることができるロングスターターにすること。【解決手段】建築物の取付面の前面に装着される面になる垂直板部２と、垂直板部の上縁に沿う上面を前方に折曲させて形成したスペーサー突部３と、垂直板部２の下縁から下方に向かうに従って若干前方に傾斜させて形成した傾斜板部４と、傾斜板部４の下縁から前方に向かうに従って若干上方に傾斜させて形成した支承板部５と、支承板部５の前端縁に沿う個所から斜め上前方に傾斜させて形成した立設板部７とを備えた構成にした。【選択図】図１
0003166770.tif 000002
【実用新案登録請求の範囲】
【請求項１】
最下段の外壁板を建築物の取付面に取り付けるために用いられる長尺形状のロングスターターであって、
建築物の取付面の前面に接面させてネジ及び／または釘を用いて装着される面になる垂直板部と、
該垂直板部の上縁に沿う上面を前方に折曲させて形成したスペーサー突部と、
前記垂直板部の下縁に沿う個所から下方に向かうに従って若干前方に傾斜させて形成した傾斜板部と、
該傾斜板部の下縁に沿う個所から前方に向かうに従って若干上方に傾斜させて形成した支承板部と、
該支承板部の前端縁に沿う個所から斜め上前方に傾斜させて形成した立設板部とを備えていることを特徴とするロングスターター。
【請求項２】
前記立設板部の前端縁に沿った個所からさらに該立設板部の前面に接面する位置まで折曲させた折返し板部が形成されている、請求項１に記載のロングスターター。
【請求項３】
前記スペーサー突部は、途中高さの面を前方に膨出させた折曲構造を有する請求項１又は２に記載のロングスターター。
【請求項４】
前記傾斜板部の上下高さと、前記支承板部の前端個所から前記取付面に至る間隔との比が、１：２〜３．５である、請求項１乃至３のいずれかの項に記載のロングスターター。
【考案の詳細な説明】
【技術分野】
【０００１】  本考案は、建築物の外壁になる陶製パネル等からなる最下段の外壁板を、建築物の取付面等の前方に取り付けるためのスターター金具の１種である長尺形状のロングスターターに関する。
【背景技術】
【０００２】  最近の一戸建て住宅等の建築物における外壁施工では、陶製パネル等の外壁板を突き合わせる方向に並べて取り付ける施工が行われる。
外壁板の取り付け施工においては、最初に最下段の外壁板が取り付けられ、この外壁板の下端部の取り付けにはスターター金具が用いられる。【０００３】  ところで、国内で流通している多くの種類の外壁板は、寸法及び形状が類似するものが少なくない。しかしながら、外壁板を相互に上下に突き合わせる個所の形状及び大きさは、図１１（ａ）〜（ｄ）において例示するように、外壁板メーカーが独自に決めている。また、外壁板メーカーは、自社製外壁板に適合するロングスターターも製造販売している。例えば特許文献１に開示のロングスターターがそうである。【０００４】  特許文献１に記載の長尺スターター金具（ロングスターター）Ａは、同文献第１頁目の要約欄によれば、建築物の土台部に固定される固定板部３と、固定板部３の上端から水平前方に延設した上板部２と、上板部２の前端から垂直下方に延設した前板部１と、固定板部３の下端から水平前方に延設した下板部４と、下板部４の前端から上方斜めに延設した係止部５とを備えており、下板部４は前板部１の下方位置よりも前方に広く延出している。
【先行技術文献】
【特許文献】
【０００５】
【特許文献１】実用新案登録第３１２９２２１号公報
【考案の概要】
【考案が解決しようとする課題】
【０００６】  しかしながら、特許文献１に記載の長尺スターター金具（ロングスターター）Ａも、下板部４を下支えするものがないため、外壁板Ｃ１による荷重を長期間受け続けて、下板部４が下方に撓むのを防止するため、スターター金具Ａを肉厚の厚い金属板を用いて製造しなければならない。このため、スターター金具Ａの材料コストが高くつくことが想定される。【０００７】  図１１（ａ）〜（ｄ）において例示する各社製の外壁板の下縁部３０ａは、形状及び大きさが類似するものがあるが、細部に違いがあるため、１種類のロングスターターで複数種類の下縁部を的確に適合するものが見受けられない。
ロングスターターは通常、１箱単位で販売されるため、建築業者及び外壁板の取付施工業者は施工後に、残ったロングスターターを在庫することになる。
しかしながら、次の施工でこのロングスターターが用いられるとは限らないため、複数種類のロングスターターを在庫することになる。
ロングスターターには３ｍにもなる長尺のものがあるため、在庫の際に変形させることがある。
また、幾種類ものロングスターターを在庫すると、外壁板の施工工事現場に違った種類のロングスターターを持って行くおそれもある。
そして、何よりも、行く種類のロングスターターの在庫は、在庫コストが掛かる。【０００８】  本考案は、これらの不具合を解消するために提案されたものであり、在庫コスト及び材料コストを抑えた、丈夫で変形し難く、外壁板の取り付け施工の作業が容易で、外壁板を長期間安定した姿勢で確実に取り付けることができるロングスターターを提供することを解決課題とする。
【課題を解決するための手段】
【０００９】  請求項１に係るロングスターターは、
最下段の外壁板を建築物の取付面に取り付けるために用いられる長尺形状のロングスターターであって、
建築物の取付面の前面に接面させてネジ及び／または釘を用いて装着される面になる垂直板部と、
該垂直板部の上縁に沿う上面を前方に折曲させて形成したスペーサー突部と、
前記垂直板部の下縁に沿う個所から下方に向かうに従って若干前方に傾斜させて形成した傾斜板部と、
該傾斜板部の下縁に沿う個所から前方に向かうに従って若干上方に傾斜させて形成した支承板部と、
該支承板部の前端縁に沿う個所から斜め上前方に傾斜させて形成した立設板部とを備える。【００１０】  このロングスターターは、水平に向け、前記垂直板の背面を建築物の取付面に重ね合わせた状態で、木ねじ及び／または釘を用いて建築物の取付面に取り付けられる。この取付面は、下地材、縦胴縁、壁下地、コンクリート壁等の前面を指し、水切り金具、防水シートを介在させたものを含む。
本考案のロングスターターを用いた最下段の外壁板を取り付ける施工では、外壁板の下縁部に沿って形成されている溝内に前記立設板部を突入させ、外壁板の背面を前記スペーサー突部の前端に当接させる方法で行なう。【００１１】  このロングスターターを用いた外壁板の取付構造によると、外壁板の荷重は、立設板部を介して又は立設板部とともに或いは直接に支承板部に作用する。
このため、支承板部には下方に押し曲げる方向の力が作用するが、前記支承板部が前方に向かうに従って若干上方に傾斜しているため、支承板部は前下がりの姿勢にまで変形しない。【００１２】  本考案のロングスターターの上部には前方に向けたスペーサー突部を有し、下部には前方に向けた支承板部とその前方の立設板部を有する。
このため、外壁板の下部の背面をスペーサー突部の前端に当接させ、外壁板の下縁部を前記取付面から前方に位置させた取り付けが行える。即ち、外壁板は建築物の取付面から前方に離した位置に取り付けられる。【００１３】  請求項２に係るロングスターターは、さらに、前記立設板部の前端縁に沿った個所からさらに該立設板部の前面に接面する位置まで折曲させた折返し板部が形成されている。【００１４】  この折返し板部は、前記立設板部の曲げ及び反りに対する補強を行なうだけでなく、該立設板部の上端縁部に折曲による丸みを形成する。
この丸みは、該立設板部の上端縁部を外壁板の下縁部に形成されている溝内の壁面及び上端底面に接触させた際の傷付きを防止する機能を持つ。【００１５】  前記立設板部の前面にこの折返し板部が重なって位置すると、前記立設板部の前端部が前記溝内の背面壁に若干届かない形状及び寸法の外壁板でも、折返し板部の上端前縁部に沿った個所を前記背面壁に当接させた外壁板の取付構造になる。【００１６】  請求項３に係るロングスターターは、上記いずれかの構成において、さらに、前記スペーサー突部は、途中高さの面が前方に膨出させた折曲構造を有する。【００１７】  前記スペーサー突部の途中高さの面を前方に膨出させた折曲構造は、外壁板下部の背面に傷付きを防止し、長尺なロングスターターの反りを抑える補強がされる。【００１８】  請求項４に係るロングスターターは、上記いずれかの構成において、さらに前記傾斜板部の上下高さと、前記支承板部の前端個所から前記取付面に至る間隔との比が、１：２〜３．５とされている。【００１９】  外壁板の荷重は、立設板部を介して又は立設板部とともに或いは直接に支承板部に加わって、支承板部を下方に押し曲げる方向に作用するが、前記傾斜板部の上下高さが、前記支承板部の前端個所から前記取付面に至る間隔よりも、２〜３．５倍あると、支承板部を下方に押し曲げる力は傾斜板部を後方に反らせる方向に大きく分散される。
しかしながら、外壁板は前記スペーサー突部により後方に向けた移動が抑えられているため、前記傾斜板部の後方に向けた反りは殆ど生じない。
このため、外壁板の荷重が加わることによる前記支承板部と前記傾斜板部の形状変化は極めて少ない。
【考案の効果】
【００２０】  請求項１に係るロングスターターによれば、前方に向けたスペーサー突部と、前方に向けた支承板部と、その前方の立設板部を設けた構造とした結果、外壁板と建築物の取付面との間に隙間を設けた、通気性に優れ、結露及びカビが発生し難い、外壁板の取付構造になる。
また、このロングスターターによれば、前記傾斜板部を下方に向かうに従って若干前方に傾斜させ、前記支承板部を前方に向かうに従って若干上方に傾斜させた構造とした結果、外壁板の荷重が前記支承板部に作用しても、支承板部を前下がりの姿勢にまで変形させることがない。
このため、外壁板の前方に向けた位置ずれが格段に抑えられ、外壁板が前方から滑り落ちる危険性が防止される。この結果、外壁板を安定した姿勢で取り付けることが出来、外壁板の取り付け強度を良好である。【００２１】  請求項２に係るロングスターターによれば、前記立設板部の前端縁に沿った個所からさらに該立設板部の前面に接面する位置まで折返し板部を折曲形成した構造とした結果、立設板部の曲げ及び反りに対する強度が補強される。
とくに、長尺なロングスターターは成形や取扱いにより反りが発生し易いが、前記折返し板部による補強は前記立設板部の補強だけでなく、ロングスターター全体の補強にもなる。
また、前記立設板部の上端縁部を折曲させて折返し板部を形成した結果、前記立設板部の前端部が前記溝内の背面壁に若干届かない形状及び寸法の外壁板でも、折返し板部の上端前縁部に沿った個所を前記背面壁に当接させた取り付けが行える。
また、立設板部の上端縁部に沿った個所に丸みを形成した結果、立設板部の上端縁部を外壁板の下縁部に形成されている溝内の壁面及び上端底面に接触させた際の傷付きが防止される。【００２２】  請求項３に係るロングスターターによれば、前記スペーサー突部の途中高さの面を前方に膨出させた折曲構造とした結果、外壁板下部の背面の傷付きが防止され、長尺なロングスターターの反りを一層抑えた補強がされる。【００２３】  請求項４に係るロングスターターによれば、前記傾斜板部の上下長さと、前記支承板部の前端個所から前記取付面に至る間隔との比を、１：２〜２．５とした結果、支承板部を下方に押し曲げる力を傾斜板部を後方に反らせる方向に大きく分散させた、支承板部と前記傾斜板部の形状変化が極めて少ないロングスターターになる。
【図面の簡単な説明】
【００２４】
【図１】本考案第１実施形態に係るロングスターターを一部破断して示した斜視図。
【図２】同じく正面図。
【図３】図２におけるＡ−Ａ拡大断面図。
【図４】（ａ）は同じく寸法説明図、（ｂ）はその一部の拡大図。
【図５】本考案第１実施形態に係るロングスターターを用いた外壁板の取り付け構造を示した側面断面図。
【図６】（ａ）〜（ｅ）はいずれも本考案第１実施形態に係るロングスターターを用いた外壁板下部の取り付け構造を示した側面断面図。
【図７】本考案第１実施形態に係るロングスターターの取付位置の各例を示した正面図。
【図８】本考案第２実施形態に係るロングスターターを一部破断して示した斜視図。
【図９】（ａ）は同じくその側面拡大断面図、（ｂ）はその一部の拡大図。
【図１０】（ａ）〜（ｅ）はいずれも本考案第１実施形態に係るロングスターターを用いた外壁板下部の取り付け構造を示した側面断面図。
【図１１】（ａ）〜（ｅ）はいずれも各種外壁板の下部構造を示した側面断面図。
【考案を実施するための形態】
【００２５】  本考案を実施するための形態は次の実施例により一層明確に理解されるであろう。
【実施例】
【００２６】  図１〜図３は本考案第１実施形態に係るロングスターター１Ａを示している。
このロングスターター１Ａは、建築物の取付面の前面に接面した状態でネジ及び／または釘を用いて装着される面になる垂直板部２と、垂直板部２の上縁に沿う上面を前方に折曲させて形成したスペーサー突部３と、垂直板部２の下縁に沿う個所から前下方に向けて若干傾斜させて形成した傾斜板部４と、傾斜板部４の下縁に沿う個所から前方に向かうに従って若干上方に傾斜させて形成した支承板部５と、支承板部５の前端縁に沿う個所から斜め上前方に傾斜させて形成した立設板部７と、立設板部７の前端縁に沿う個所から立設板部７の前面に接面する位置まで折曲させて形成した折返し板部８とを具備する。立設板部７と折返し板部８とを合わせたものを係止部６と称することにする。【００２７】  考案者が試作したロングスターター１Ａは、０．６〜０．８ｍｍの鉄製薄板を材料とするプレス成形品である。以下に述べる各寸法は、最適とされるものであるが、本考案の権利範囲を限定するものではない。
このロングスターター１Ａは、図１及び図２に示す横方向の全長Ｌ１は３０３０ｍｍ±２．００ｍｍ、全体高さＨ１は４２．３５ｍｍ±０．５ｍｍ、スペーサー突部３の高さＨ２は８．０２ｍｍ±０．３ｍｍ、垂直板部２の高さＨ３は１０．３０ｍｍ、傾斜板部４の高さＨ４は２４．０２ｍｍ±０．５ｍｍ、支承部５の下端部から係止部６の上端までの高さＨ５は５ｍｍ±０．３ｍｍである。【００２８】  図４（ａ）に示すように、スペーサー板部３は、側面視においてその途中高さの個所が前方に突出する方向に略く字形状に折曲されて形成されており、この突出量Ｓ１は５．３ｍｍ±０．３ｍｍ、スペーサー板部３の折曲角θ１は６０°±０．５°である。
傾斜板部の傾斜角θ２は１１°、支承板部５の水平方向に対する傾斜角θ３は１０°、立設板部７と折返し板部８とを合わせた係止部６の傾斜角θ４は２５°である。
支承板部５の前後方向の長さＳ２は５ｍｍ±０．２ｍｍ、支承板部５の前端個所から垂直板部２の背面と面が揃う位置になる取付面２１に至る間隔Ｓ３は１０．０８ｍｍ±０．２ｍｍである。
このため、この間隔Ｓ３と、傾斜板部４の高さＨ４との比は、１０．０８ｍｍ±０．２ｍｍ：２４．０２ｍｍ±０．５ｍｍ、即ち、約１：２．４である。
図４（ｂ）に示す立設部７の上下長さＳ４は３．８ｍｍ±０．３ｍｍ、折返し部８の上下長さＳ５は２．５ｍｍ±０．３ｍｍである。【００２９】  図５に示すように、ロングスターター１Ａは、建築施工において、水平姿勢に向けた姿勢で、垂直板部２の背面を建築物の下地材２０等の表面である取付面２１の下部に、木ねじ１５、釘１６を用いて装着される。
この取り付けの後、最下段の外壁板３０の下縁部３０ｂに沿って形成されている溝３０ｄ内に向けて、傾斜板部４と折返し部８とを重ねた係止部６を突入させて、外壁板３０の下部背面をスペーサー突部３の前端に当接させる。
外壁板３０の下縁部３０ｂは、溝３０ｄ及び溝３０ｄ後方の低段部３０ｃを指す。この後、留付け金具４０を用いて外壁板３０の上端部を取付面２１に装着する。
このようにして外壁板３０を取付面２１に装着すると、外壁板３０の荷重は、傾斜板部４と支承板部５を押し下げる方向に作用するが、下縁部３ｂの形状次第では、外壁板３０の荷重は傾斜板部４と支承板部５のいずれか一方に作用することもある。
いずれにせよ、外壁板３０の荷重は支承板部５に直接又は傾斜板部４を介して加わるが、支承板部５は前上がりに傾斜しているため、外壁板３０の下部が前方に位置ずれする水平の向きまで変形することはない。【００３０】  図６（ａ）〜（ｅ）は、本考案第１実施形態のロングスターター１Ａを用いて、下縁部３０ｂの形状及び大きさが若干異なる各種外壁板３１〜３５の下部を支持係合させた状態を側面断面図で示している。
図６（ａ）に示す外壁板３１は、溝３０ｄの深さが浅いため、外壁板３１の下部は、溝３０ｄ内の前後の面に係止部６の上端近傍面が当接し、外壁板３１の低段部の下面が支承板部４の上方に位置した留付け構造が示されている。
図６（ｂ）に示す外壁板３２は、溝３０ｄの深さが中程度であるため、外壁板３１の下部は、溝３０ｄ内の後方に向けた面に係止部６の上端前面が当接し、外壁板３２の低段部の下面が支承板部４の上方に載った留付け構造が示されている。
図６（ｃ）に示す外壁板３３は、低段部３０ｃの前後方向の厚さが比較的短いため、外壁板３３の下部は、溝３０ｄ内の後方に向けた面に係止部６の上端前面が当接し、外壁板３３の低段部の下面が支承板部４の上方に載った留付け構造になる。
図６（ｄ）に示す外壁板３４の場合も同様である。
図６（ｅ）に示す外壁板３５は、溝３０ｄの前後幅が比較的広いため、外壁板３５の下部は、溝３０ｄ内の前方に向けた面に係止部６の上端近傍の後部面（立設板部７の後部面）が当接し、外壁板３５の低段部の下面が支承板部４の上方に載った留付け構造になっている。【００３１】  図６の各図には示されていないが、外壁板３１〜３５の背面が図５に示すようにスペーサー突部３に当接しているため、外壁板３１〜３５は後方に位置ずれすることは殆どない。
図６（ａ）に示す外壁板３１の前方に向けた位置ずれは、係止部６の上端前面が溝３０ｄ内の後方に向けた面に当接しているため、殆ど生じない。
図６（ｂ）〜（ｅ）に示す外壁板３２〜３５の前方に向けた位置ずれは、いずれも、前上がりに傾斜した支承板部５の上に低段部３０ｃの縁部が乗った状態にあるため、殆ど生じない。【００３２】  図７に示すように、本考案実施形態のロングスターター１Ａは、建築物の取付面にネジ及び／または釘を用いて取り付けるための孔９が横方向に等間隔毎に設けられているため、下地材２０である縦胴縁の横並びの間隔に違いがあっても、ロングスターター１Ａの取り付けに支障はない。【００３３】  図８及び図９（ａ）は本考案第２実施形態に係るロングスターター１Ｂを示している。この実施形態のロングスターター１Ｂも、前述した第１実施形態のロングスターターと同じ構造を持つ各部を備える。このため同じ構造を持つ個所には同一符号を付し、重複する説明は省略する。
この実施形態のロングスターター１Ｂにおける各部の寸法は、図８及び図９（ａ）（ｂ）に示されている。
この実施形態のロングスターター１Ｂにおいては、支承板部５の前端個所から垂直板部２の背面と面が揃う位置になる取付面２１に至る間隔Ｓ３は７．２３ｍｍ±０．２ｍｍであり、傾斜板部４の高さＨ４は２２．２２ｍｍ±０．５ｍｍである。このため、この間隔Ｓ３と、傾斜板部４の高さＨ４との比は、約１：３である。【００３４】  この実施形態のロングスターター１Ｂの場合も、図１０（ａ）に示すように、外壁板３１の前方に向けた位置ずれは、係止部６の上端前面が溝３０ｄ内の後方に向けた面に当接しているため、殆ど生じない。
また、図１０（ｂ）〜（ｅ）に示す外壁板３２〜３５の前方に向けた位置ずれは、いずれも、前上がりに傾斜した支承板部５の上に低段部３０ｃの縁部が乗った状態にあるため、殆ど生じない。
【産業上の利用可能性】
【００３５】  本考案に係るロングスターターは、外壁板の取り付け施工の分野において利用可能性がある。
【符号の説明】
【００３６】  １Ａ  本考案第１実施形態のロングスターター
２    垂直板部
３    スペーサー突部
４    傾斜板部
５    支承板部
６    係止部
７    立設板部
８    折返し板部
【図１】
0003166770.tif 000003
【図２】
0003166770.tif 000004
【図３】
0003166770.tif 000005
【図４】
0003166770.tif 000006
【図５】
0003166770.tif 000007
【図６】
0003166770.tif 000008
【図７】
0003166770.tif 000009
【図８】
0003166770.tif 000010
【図９】
0003166770.tif 000011
【図１０】
0003166770.tif 000012
【図１１】
0003166770.tif 000013